(57)【要約】      （修正有）【課題】デザイン性の向上を図ることができるように、環状本体に装飾部を一体に形成した指輪を提供する。【解決手段】環状本体１の周方向に連なるように当該環状本体１に一体に形成される２つの装飾部２，３を備え、これら２つの装飾部２，３は相互に異なる形状に形成され、第１装飾部２は、前記環状本体１の径方向外側から内方に延びるＡ方向に向けられ、第２装飾部３は、Ａ方向に対して前記周方向にずれるように、前記環状本体１の径方向外側から内方に延びるＢ方向に向けられていることを特徴とする。【選択図】図１
0003144035.tif 000002
【実用新案登録請求の範囲】
【請求項１】
環状本体の周方向に連なるように当該環状本体に一体に形成される２つの装飾部を備え、
これら２つの装飾部は相互に異なる形状に形成され、
第１装飾部は、前記環状本体の径方向外側から内方に延びる第１の方向に向けられ、
第２装飾部は、前記第１の方向に対して前記周方向にずれるように、前記環状本体の径方向外側から内方に延びる第２の方向に向けられていることを特徴とする指輪。
【請求項２】
前記第２装飾部は、その周方向の一部分が前記環状本体の径方向外側に膨らむように、当該一部分において折り曲げて形成されていることを特徴とする請求項１に記載の指輪。
【請求項３】
前記第２装飾部は、その周方向の両端部から中央部に向かうにしたがって、前記第１装飾部よりも前記環状本体の軸方向の一方側に突出するように形成され、かつ、前記環状本体の径方向外側にも傾斜するように形成されていることを特徴とする請求項１又は請求項２に記載の指輪。
【考案の詳細な説明】
【技術分野】
【０００１】
本考案は、環状本体に装飾部を一体に形成した指輪に関するものである。
【背景技術】
【０００２】
従来、このような指輪としては、例えば特許文献１のように、リング状本体の周方向の一部に、宝石や彫刻等の装飾部を形成したものがある。この指輪においては、複数の装飾部が環状本体の周方向に並べて形成されており、複数の装飾部はいずれも手指の正面（手の甲から見た指の面）に向けられている。
【特許文献１】登録実用新案３１３６９４６号公報
【考案の開示】
【考案が解決しようとする課題】
【０００３】
しかしながら、特許文献１に記載の指輪では、全ての装飾部が同一方向に向けられているため、他の方向から見ると指輪のデザイン性が低くなる、という問題がある。
本考案は、このような背景の下になされたもので、デザイン性の向上を図ることができる指輪を提供することを目的としている。
【課題を解決するための手段】
【０００４】
上記課題を解決して、このような目的を達成するために、本考案の指輪は、環状本体の周方向に連なるように当該環状本体に一体に形成される２つの装飾部を備え、これら２つの装飾部は相互に異なる形状に形成され、第１装飾部は、前記環状本体の径方向外側から内方に延びる第１の方向に向けられ、第２装飾部は、前記第１の方向に対して前記周方向にずれるように、前記環状本体の径方向外側から内方に延びる第２の方向に向けられていることを特徴とする。
【０００５】
そして、前記指輪において、前記第２装飾部は、その周方向の一部分が前記環状本体の径方向外側に膨らむように、当該一部分において折り曲げて形成されていてもよい。
【０００６】
さらに、前記指輪において、前記第２装飾部は、その周方向の両端部から中央部に向かうにしたがって、前記第１装飾部よりも前記環状本体の軸方向の一方側に突出するように形成され、かつ、前記環状本体の径方向外側にも傾斜するように形成されていてもよい。
【考案の効果】
【０００７】
本考案の指輪を第１の方向から見た場合には、第１装飾部を中心とした指輪のデザインを見ることができる。一方、指輪を第２の方向から見た場合には、第２装飾部を中心とした指輪のデザインを見ることができる。
すなわち、この指輪によれば、手指の正面に第１装飾部が重なるように装着した状態において、手指の正面から第１装飾部を中心とした指輪のデザインを見ることができる。また、この装着状態においては、手指の側面から第２装飾部を中心とした指輪のデザインを見ることができる。
そして、これら２つの装飾部は異なる形状に形成されていることから、上述したように指輪を見る方向に応じて指輪のデザインが大きく変化するため、デザイン性の高い指輪を提供することができる。
【０００８】
そして、第２装飾部を折り曲げて形成する場合には、指輪を見る方向を第２装飾部の全体のデザインが見える第２の方向から環状本体の周方向にずらすことで、折り曲げ部分を境目として２つに分割された第２装飾部の一方だけを見ることもできる。
【０００９】
さらに、第２装飾部の周方向の中央部が第１装飾部よりも環状本体の軸方向の一方側に突出するように第２装飾部を形成すると、指輪を小指や人差指に装着する際に、第２装飾部が手の外側に位置する小指や人差指の側面に重なるように配置されることで、第２装飾部の突出部分を手指の付け根よりも下側まで配することができる。この場合には、小指や人差指の長さが実際の長さよりも長く見えるため、手指をより美しく見せることができる。
また、軸方向の一方側に突出する第２装飾部の突出部分は、その先端に向かうにしたがって環状本体の径方向外側にも傾斜しているため、前述のように、指輪を小指や人差指に装着した状態において、この突出部分を手指の側面からその下側の手の側面にわたってフィットさせることができる。
【考案を実施するための最良の形態】
【００１０】
図１ないし図３は、本考案の指輪の一実施形態を示すものである。すなわち、本実施形態の指輪１００は、プラチナや金、銀等の貴金属によって形成され、手指に嵌め入れられる大きさのリング状に形成されている。この指輪１００は、環状本体１の周方向の一部に２つの装飾部２，３を一体に形成して構成され、２つの装飾部２，３は環状本体１の周方向に連ねて形成されている。
第１装飾部２は、環状本体１の径方向外側から内方に延びる第１の方向（以下、Ａ方向と呼ぶ）に向けられている。具体的に、第１装飾部２には環状本体１の径方向外側に向く平坦面２ａが形成されており、この平坦面２ａはＡ方向に対して直交している。この平坦面２ａはハート形状に形成されており、第１装飾部２の主たるデザインを構成している。
【００１１】
第２装飾部３は、Ａ方向に対して周方向にずれるように、環状本体１の径方向外側から内方に延びる第２の方向（以下、Ｂ方向と呼ぶ）に向けられている。
具体的に、第２装飾部３には、環状本体１の径方向に貫通する貫通孔４が形成されている。この第２装飾部３の環状部分は、Ｂ方向から見たときにハート形状となるように形成され、第２装飾部３の主たるデザインをなしている。
なお、第２装飾部３をなすハート形状の尖鋭部分（突出部分）は、第１装飾部２よりも環状本体１の軸線Ｏ方向の一方側（図２，３において下側）に突出している。また、この尖鋭部分は、軸線Ｏ方向の一方側に向かうにしたがって環状本体１の径方向外側に傾斜するように形成されている。
【００１２】
さらに、第２装飾部３は、その周方向の中央部分が環状本体１の径方向外側に膨らむように、当該中央部分において折り曲げて形成されている。そして、第２装飾部３は、この中央部分を境目として周方向に沿って２つのデザイン部５，６に分割されている。これら２つのデザイン部５，６は、環状本体１の径方向外側に向けられているが、互いに異なる方向（図１においてＢ１方向及びＢ２方向）に向けられている。
なお、第２装飾部３の全体が向けられるＢ方向は、２つのデザイン部５，６を同時に見ることができ、かつ、環状本体１の周方向に沿う第２装飾部３全体の幅寸法が最も大きく見える向きである。すなわち、Ｂ方向は、２つのデザイン部５，６が向く方向（Ｂ１方向及びＢ２方向）の間に位置している。
【００１３】
さらに、第２装飾部３の中央部分よりも第１装飾部２の近くに位置する第１デザイン部５は、図２に示すように、指輪１００を装着した状態でＡ方向から見た場合に第１装飾部２と同時に見ることが可能な方向（Ｂ１方向）に向けられている。すなわち、第１装飾部２の向くＡ方向と第１デザイン部５の向くＢ１方向とがなす角度は、９０度未満となっている。
また、第２装飾部３の中央部分よりも第１装飾部２から遠くに位置する第２デザイン部６は、指輪１００を装着した状態でＡ方向から見た場合に第１装飾部２と同時に見ることができない方向（Ｂ２方向）に向けられている。すなわち、第１装飾部２の向くＡ方向と第２デザイン部６の向くＢ２方向とがなす角度は９０度以上となっている。
さらに、第１デザイン部５が向くＢ１方向と第２デザイン部６が向くＢ２方向とのなす角度は、９０度未満となっており、手指に装着された指輪１００をＢ２方向あるいはＢ１方向から見ても、２つのデザイン部５，６を同時に見ることができる。
【００１４】
以上のように構成される指輪１００は、いずれの手指に装着することが可能であるが、第１装飾部２が向くＡ方向と第２デザイン部６が向くＢ２方向との角度が９０度以上となっているため、指の側面が隣の指によって覆い隠されない小指や人差指に装着されることがより好ましい。
以下に指輪の装着方法について説明する。なお、ここでは、指輪１００を小指に装着する場合を一例として説明するが、人差指においても同様に適用することができる。
【００１５】
図２，３に示すように、指輪１００を小指に装着する際には、第１装飾部２が小指の正面（手の甲からみた指の面）に重なるように、また、第２装飾部３が主に小指の側面に重なるように配置する。さらに、この際には、第２装飾部３の尖鋭部分が小指の付け根側（図２，３において下側）に向くように配置する。これにより、第１装飾部２よりも環状本体１の軸線Ｏ方向に延びる第２装飾部３の尖鋭部分を手指の付け根よりも下側まで配することができる。
ここで、小指の側面の下側に連なる手の側面は、通常、小指の側面よりも膨らんでいるが、第２装飾部３の尖鋭部分は環状本体１の径方向外側に傾斜するように形成されているため、この尖鋭部分を小指の側面から手の側面にわたってフィットさせることができる。
【００１６】
このように指輪１００を装着した状態において、図２に示すようにＡ方向（小指の正面）から見た場合には、第１装飾部２を中心とした指輪１００のデザインを見ることができる。具体的には、第１装飾部２の平坦面２ａと第２装飾部３の一部をなす第１デザイン部５とを見ることができ、第２デザイン部６は見えない。
一方、図３に示すように指輪１００をＢ２方向（小指の側面）から見た場合には、第２装飾部３を中心とした指輪１００のデザインを見ることができる。具体的には、前述したように、２つのデザイン部５，６を同時に見ることができ、第１装飾部２の平坦面２ａは見えない。
【００１７】
以上説明したように、本実施形態の指輪１００によれば、これを手指に装着した状態において、相互に異なる形状の装飾部２，３を中心とした指輪１００のデザインを見ることができ、さらに、手指に装着された指輪１００を見る方向に応じて指輪１００のデザインも大きく変化するため、デザイン性の高い指輪を提供することができる。
特に、本実施形態の指輪１００では、第２装飾部３のみに貫通孔４が形成されているため、２つの装飾部２，３の形状を大きく異ならせて、Ａ方向及びＢ方向から見た指輪１００のデザインを大きく変化させることができる。また、第２装飾部３を折り曲げて形成しているため、Ｂ方向から見ることで第２装飾部３全体のデザインを見ることができる上に、Ｂ方向から環状本体１の周方向にずれた方向から指輪１００を見ることで、第２装飾部３のうち２つのデザイン部５，６の一方だけを見ることも可能となる。
【００１８】
さらに、上記指輪１００においては、第２装飾部３の周方向の中央部分が第１装飾部２よりも環状本体１の軸線Ｏ方向に突出するように第２装飾部３を形成しているため、指輪１００を小指や人差指に装着した状態で、第２装飾部３の尖鋭部分を手指の付け根よりも下側まで配することができる。この場合には、小指や人差指の長さが実際の長さよりも長く見えるため、手指をより美しく見せることができる。
また、前述したように、第２装飾部３の尖鋭部分は、その先端に向かうにしたがって環状本体１の径方向外側にも傾斜しているため、尖鋭部分を手指の側面から手の側面にわたってフィットさせることができる。
【００１９】
なお、本考案は上述した実施形態に限定されるものではなく、本考案の趣旨を逸脱しない範囲において種々の変更を加えることが可能である。例えば、第１装飾部２の主たるデザインは平坦面２ａによって構成されるとしたが、例えば環状本体１の径方向外側に膨らむ曲面によって構成されてもよいし、環状本体１に固定されて第１装飾部２をなす宝石等の装飾部材によって構成されてもよい。
この構成では、指輪１００をＢ２方向から見ても、第２装飾部３に加えて第１装飾部２のデザインをなす曲面や装飾部材の一部が見える場合があるが、Ａ方向から見た場合と比較して第１装飾部２のデザインは大きく異なるため、上記実施形態と同様に、指輪１００を見る方向に応じて指輪１００のデザインが大きく変化する。
【００２０】
また、第２装飾部３は、その周方向の中央部分において折り曲げられるとしたが、例えば中央部分から周方向にずれた位置において折り曲げられてもよい。すなわち、第２装飾部３は、少なくともその周方向の一部分において折り曲げて形成されていればよい。
さらに、第２装飾部３は、相互に異なる方向に向けられる２つのデザイン部５，６を形成するように折り曲げられるとしたが、例えば第１装飾部２と同様に、折り曲げずに１つの方向に向けられるように形成されていてもよい。
【００２１】
また、２つの装飾部２，３は少なくとも相互に異なる形状に形成されていればよい。
すなわち、各装飾部２，３は、上記実施形態のようにハート形状に形成されることに限らず、円形状や、四角形等の多角形状、星形状など、様々な形状に形成されていてもよい。また、第１装飾部２は、上記実施形態の第２装飾部３のように、環状本体１の径方向に貫通する貫通孔を有する形状に形成されていてもよい。さらに、第２装飾部３は、上記実施形態の第１装飾部２のように、貫通孔４を有さない形状に形成されていてもよい。
なお、第２装飾部３をいずれの形状に形成した場合でも、第２装飾部３の周方向の両端部から中央部に向かうにしたがって環状本体１の軸線Ｏ方向の一方側に突出するように第２装飾部３に形成することは可能であり、上記実施形態と同様に、指輪１００を装着した小指や人差指の長さを実際のものよりも長く見せることができる。
【図面の簡単な説明】
【００２２】
【図１】本考案の一実施形態に係る指輪を示す上面図である。
【図２】図１に示す指輪を手指に装着し、これをＡ方向から見た状態を示す側面図である。
【図３】図１に示す指輪を手指に装着し、これをＢ２方向から見た状態を示す側面図である。
【符号の説明】
【００２３】
１  環状本体
２  第１装飾部
３  第２装飾部
１００  指輪
Ｏ  軸線
【図１】
0003144035.tif 000003
【図２】
0003144035.tif 000004
【図３】
0003144035.tif 000005